(57)【要約】【課題】  主として高速道路の側溝蓋の上に溜まった落ち葉などのゴミを、効率的に取り除くために使用する清掃機を提供する。【解決手段】  吸引機構を備え、前端部にその吸引開口部１１を有し、複数の車輪１２によって自走する清掃機本体１０と、吸引開口部１１の前方に、側溝蓋Ｌと同じまたはそれより小さい幅で、当該側溝蓋Ｌの上面に沿って自転自在に設けられ、当該側溝蓋Ｌの上に溜まったゴミＤを巻き上げて前記吸引開口部１１に供給するローラー２０と、で構成する。【選択図】      図１
0003118928.tif 000002
【実用新案登録請求の範囲】
【請求項１】
側溝蓋（Ｌ）の上に溜まったゴミ（Ｄ）を取り除くための清掃機であって、少なくとも、吸引機構を備え、前端部にその吸引開口部（１１）を有し、複数の車輪（１２）によって自走する清掃機本体（１０）と、前記吸引開口部の前方に、前記側溝蓋と同じまたはそれより小さい幅で、該側溝蓋の上面に沿って自転自在に設けられ、該側溝蓋の上に溜まったゴミを巻き上げて前記吸引開口部に供給するローラー（２０）と、からなる側溝蓋清掃機。
【請求項２】
側溝蓋（Ｌ）の上に溜まったゴミ（Ｄ）を取り除くための清掃機であって、少なくとも、吸引機構を備え、前端部にその吸引開口部（１１）を有し、複数の車輪（１２）によって自走する清掃機本体（１０）と、前記吸引開口部（１１）の前方に、前記側溝蓋と同じまたはそれより小さい幅で、該側溝蓋の上面に沿って自転自在に設けられ、該側溝蓋の上に溜まったゴミを巻き上げて前記吸引開口部に供給するローラー（２０）と、前記ローラーを前記側溝蓋に接離自在とすべく、該ローラーを前記清掃機本体に揺動自在に連結した支持板（３１）から接合板（３２）を立設し、該接合板の上端部を、前後方向に配した進退棒（３３）の前端部に揺動自在に連結し、該進退棒の後端部を、後端部に回転ハンドル（３５）を有する回転棒（３４）の前端部に螺合して構成した接離機構（３０）と、からなる側溝蓋清掃機。
【請求項３】
ローラー（２０）を、ワイヤーブラシで形成してなる請求項１または２に記載の側溝蓋清掃機。
【考案の詳細な説明】
【技術分野】
【０００１】
本考案は、高速道路等の側溝蓋の上に溜まった落ち葉等のゴミを取り除くために使用する清掃機に関するものである。
【背景技術】
【０００２】
一般に、高速道路の左右両側端部には、排水用の側溝（融雪溝）が設けられ、この側溝には蓋が被せられている。
【０００３】
側溝の清掃は、通常、雪氷作業期間が終了した春季に人力で行われているが、この作業は効率が悪く、作業員不足が恒常化した保全工事の現場では機械化による効率の向上が必要とされている。
【０００４】
その内、側溝蓋の上に溜まった落ち葉などのゴミを取り除く作業は、当該側溝蓋が路面よりやや低いので、一般に使用されている路面清掃機によって行うことができない。
【考案の開示】
【考案が解決しようとする課題】
【０００５】
こうした側溝蓋の上に溜まったゴミを取り除く作業を機械化するために、本考案者らは試行錯誤を重ね、本考案を創案するに至った。
【０００６】
そこで、本考案は、主として高速道路の側溝蓋の上に溜まった落ち葉などのゴミを、効率的に取り除くために使用する清掃機を提供することを課題とする。
【課題を解決するための手段】
【０００７】
図１乃至図４を参照して説明する。請求項１に記載の側溝蓋清掃機１は、側溝蓋Ｌの上に溜まったゴミＤを取り除くための清掃機であって、少なくとも、吸引機構を備え、前端部にその吸引開口部１１を有し、複数の車輪１２によって自走する清掃機本体１０と、前記吸引開口部１１の前方に、前記側溝蓋Ｌと同じまたはそれより小さい幅で、当該側溝蓋Ｌの上面に沿って自転自在に設けられ、当該側溝蓋Ｌの上に溜まったゴミＤを巻き上げて前記吸引開口部１１に供給するローラー２０と、からなる。
【０００８】
請求項２に記載の側溝蓋清掃機１は、側溝蓋Ｌの上に溜まったゴミＤを取り除くための清掃機であって、少なくとも、吸引機構を備え、前端部にその吸引開口部１１を有し、複数の車輪１２によって自走する清掃機本体１０と、前記吸引開口部１１の前方に、前記側溝蓋Ｌと同じまたはそれより小さい幅で、当該側溝蓋Ｌの上面に沿って自転自在に設けられ当該側溝蓋Ｌの上に溜まったゴミＤを巻き上げて前記吸引開口部１１に供給するローラー２０と、前記ローラー２０を前記側溝蓋Ｌに接離自在とすべく、当該ローラー２０を前記清掃機本体１０に揺動自在に連結した支持板３１から接合板３２を立設し、当該接合板３２の上端部を、前後方向に配した進退棒３３の前端部に揺動自在に連結し、当該進退棒３３の後端部を、後端部に回転ハンドル３５を有する回転棒３４の前端部に螺合して構成した接離機構３０と、からなる。
【０００９】
請求項３に記載の側溝蓋清掃機１は、請求項１または２に記載の考案において、  ローラー２０を、ワイヤーブラシで形成してなる。
【考案の効果】
【００１０】
請求項１に記載の側溝蓋清掃機１は、吸引機構を備え自走する清掃機本体１０と、吸引開口部１１の前方に設けられ、側溝蓋Ｌの上面に沿って自転するローラー２０とで構成したので、側溝蓋Ｌの上に溜まった落ち葉などのゴミＤを効率的に取り除くことができる。
【００１１】
すなわち、ローラー２０によって側溝蓋Ｌの上に溜まっているゴミＤを、当該側溝蓋Ｌから引き離して巻き上げた後、吸引機構による吸引力によって吸引開口部１１から吸い込んで集塵する。このとき、ローラー２０は自転するので、その回転力によって側溝蓋Ｌに強く付着しているゴミＤでも、容易に引き離すことができる。従って、きわめて効率的にゴミＤを取り除くことができる。
【００１２】
なお、この清掃機１は複数の車輪１２を備え自走するので、作業者は手で支えるのみで良く、これによっても、作業効率を高めることができる。また、ローラー２０の幅は、側溝蓋Ｌと同じあるいはそれより小さく設定しているので、当該側溝蓋Ｌの上面に接触することができ、これにより、ゴミＤを効率的に取り除くことができる。
【００１３】
請求項２に記載の側溝蓋清掃機１は、請求項１に記載の考案と同様に、きわめて効率的に側溝蓋Ｌの上に溜まったゴミＤを取り除くことができる。
【００１４】
また、接離機構３０によって、ローラー２０を側溝蓋Ｌに接離自在としているので、側溝蓋Ｌの路面Ｓからの深さが変化しても、それに対応して昇降動させ、常に側溝蓋Ｌに対して適切な距離を保つことができる。これにより、側溝蓋Ｌの上のゴミＤをさらに効率的に取り除くことができる。
【００１５】
なお、この接離機構３０は、回転ハンドル３５を回転させると回転棒３４が回転し、それに螺合している進退棒３３が前進または後退する。また、それによって接合板３２が下降または上昇し、支持板３１の前端部を押し下げまたは押し上げて、ローラー２０を昇降させる。
【００１６】
請求項３に記載の側溝蓋清掃機１は、請求項１および２に記載の考案と同様の作用効果を発揮する。また、ローラー２０をワイヤーブラシで形成しているので、剛性および耐久性に優れる。従って、側溝蓋Ｌの上面を強く擦り、付着しているゴミＤを容易に引き離すことができる。これによって、側溝蓋Ｌの清掃を、より効率的に行うことができる。
【考案を実施するための最良の形態】
【００１７】
本考案に係る側溝蓋清掃機１の実施形態を、図１乃至図４に示す。これは、高速道路の側溝蓋（融雪溝の蓋）Ｌの上に溜まった落ち葉などのゴミＤを取り除くための清掃機であり、清掃機本体１０、ローラー２０、および接離機構３０を備える。
【００１８】
清掃機本体１０は、吸引機構を備え、前端部にその吸引開口部１１を有する。三つの車輪１２（前部に一つ、後部に二つ）を有し、エンジンによって自走する。清掃機本体１０の後端部には、速度調整レバー１７を備えた操作ハンドル１６を設けている。ローラー２０は、ワイヤーブラシで形成し、吸引開口部１１の前方に、側溝蓋Ｌより小さい幅で、当該側溝蓋Ｌの上面に沿って自転するように設けている。また、ローラー２０から吸引開口部１１にかけて、ゴミＤの飛散を防止するためのカバー１４を設けている。さらに、清掃機本体１０の内部には、吸引開口部１１から吸引したゴミＤを集める集塵部１３を設けている。
【００１９】
また、接離機構３０は次のように構成している。すなわち、ローラー２０を清掃機本体１０に揺動自在に連結した支持板３１から接合板３２を立設し、その接合板３２の上端部を、連結片３７と２本の固定ピン３８によって、前後方向に配した進退棒３３の前端部に揺動自在に連結している。支持板３１は、その前端部をローラー２０の軸棒２１に軸止させ、後端部を清掃機本体１０に軸ピン３６で回動自在に軸止している。そして、進退棒３３の後端部を、同じく前後方向に配した回転棒３４の前端部の螺合部３９で螺合して構成している。なお、本実施形態における接合板３２は、正面Ｌ字状に形成している。
【００２０】
なお、回転棒３４の後端部は直角状に折曲げて、その後端部に回転ハンドル３５を設けている。また、ローラー２０は、ガソリンエンジンで回転する回転部１５を駆動源として、ベルト２２を介して回転するもので、側溝蓋Ｌの上のゴミＤを上方に巻き上げる方向に回転する。ベルト２２は、支持コロ２３で張りを調節している。
【００２１】
本実施形態に係る側溝蓋清掃機１は、次のように作動する。まず、ローラー２０を側溝蓋Ｌの上に配置した状態で自走させるが、その際、接離機構３０を調整することによって、ローラー２０を昇降させ、側溝蓋Ｌとの適切な距離を保つ。通常、ローラー２０と側溝蓋Ｌとの間には、僅かな隙間（１０ｍｍ程度）をあける。なお、回転ローラー２０を時計回り方向に回転させるとローラー２０は下降し（または上昇し）、逆に、反時計回り方向に回転させると上昇する（または下降する）。
【００２２】
この状態で清掃機１を自走させると共に、ローラー２０を自転させる。これにより、ローラー２０が側溝蓋Ｌの上に溜まっている落ち葉などのゴミＤを当該側溝蓋Ｌから引き離して巻き上げる。巻き上げられたゴミＤは、そのまま吸引開口部１１に吸い込まれ、清掃機本体１０の内部に設けた集塵部１３に集められる。こうして、ローラー２０を側溝蓋Ｌの上に沿って自転させながら、清掃機１を自走させることによって、側溝蓋Ｌの上のゴミＤをきわめて効率的に取り除くことができる。
【００２３】
なお、本実施形態における清掃機１は、縦：約１２３０ｍｍ、横：６００ｍｍ、高さ：約９９０ｍｍの大きさで、一人の作業者が容易に操作できる程度に形成している。従って、清掃機としてはきわめて小型である。これにより、高速道路における側溝蓋Ｌの清掃は、従来は、車線規制をして行う必要があったが、この清掃機１を使用すると路肩規制のみで対応できる。
【００２４】
また、この側溝蓋清掃機１を実際に使用して、その性能を試してみたところ、作業者２〜３人分の能力を発揮することを確認した。従って、従来、標準的に５人編成で作業していたものを２〜３人で施工できる。また、これにより、約２０％の費用削減が見込まれる。また、清掃に水を使用しないので、発生した土砂を汚泥処理する必要がなく、経済的である。
【産業上の利用可能性】
【００２５】
本考案に係る側溝蓋清掃機１は、側溝蓋Ｌの上面のみならず、路面Ｓから低い箇所に位置するあらゆる部分（例えば、側溝自体）の清掃に使用することができる。
【図面の簡単な説明】
【００２６】
【図１】本考案に係る側溝蓋清掃機の実施形態を示す側面図である。
【図２】図１に示す側溝蓋清掃機の平面図である。
【図３】図１の部分拡大図である。
【図４】図２の部分拡大図である。
【符号の説明】
【００２７】
１        側溝蓋清掃機
１０      清掃機本体
１１      吸引開口部
１２      車輪
１３      集塵部
１４      カバー
１５      回転部
１６      操作ハンドル
１７      速度調整レバー
２０      ローラー
２１      軸棒
２２      ベルト
２３      支持コロ
３０      接離機構
３１      支持板
３２      接合板
３３      進退棒
３４      回転棒
３５      回転ハンドル
３６      軸ピン
３７      連結片
３８      固定ピン
３９      螺合部
Ｄ        ゴミ
Ｌ        側溝蓋
Ｓ        路面
【図１】
0003118928.tif 000003
【図２】
0003118928.tif 000004
【図３】
0003118928.tif 000005
【図４】
0003118928.tif 000006